(57)【特許請求の範囲】
【請求項１】
建設機械（30）の洗浄後の泥水を濾過する入口フィルタ（１）と、該入口フィルタ（１）を通った泥水に含まれる砂を沈殿分離する濾過一次タンク（２）と、該濾過一次タンク（２）の出口に設けられ上記入口フィルタ（１）よりも濾過精度が細かい出口フィルタ（９）と、該出口フィルタ（９）を通った泥水を濾過すると共に上記出口フィルタ（９）よりも濾過精度が細かい細濾過フィルタ（５）と、該細濾過フィルタ（５）を通った泥水に含まれる泥を沈殿分離して上記建設機械（30）の洗浄水を生成すると共に出口から該洗浄水が貯水タンク（13）に送水される濾過二次タンク（３）と、を備え、
さらに、上記細濾過フィルタ（５）は、逆流中で内部に溜まった残留物を除去して濾過機能を回復する回復機構（４）を有することを特徴とする洗浄水リサイクル装置。
【請求項２】
上記濾過一次タンク（２）及び上記濾過二次タンク（３）は、流入攪拌防止用傾斜板（12）を有する請求項１記載の洗浄水リサイクル装置。
【請求項３】
上記細濾過フィルタ（５）は、フィルタケース（14）と、該フィルタケース（14）の中に納められるフィルタ本体（15）と、を有し、
上記回復機構（４）は、濾過運転の際には該フィルタ本体（15）を圧縮状態として目を細かくすると共に、濾過機能の回復を行う際には該フィルタ本体（15）を該圧縮状態から開放して目を大きくして残留物除去用隙間（Ｓ）を形成するように、構成されている請求項１又は２記載の洗浄水リサイクル装置。
【請求項４】
上記出口フィルタ（９）と上記細濾過フィルタ（５）との間には、フラッシング手段（11）にて内部に溜まった残留物を除去可能な粗濾過フィルタ（10）が介設され、上記入口フィルタ（１），上記出口フィルタ（９），上記粗濾過フィルタ（10），上記細濾過フィルタ（５）の順に濾過精度が細かくなるように設定されている請求項１，２又は３記載の洗浄水リサイクル装置。
【発明の詳細な説明】
【技術分野】
【０００１】
本発明は、洗浄水リサイクル装置に係り、より詳しくは、パワーショベルやブルドーザー等の建設機械の洗浄装置や、ガソリンスタンドに設置された洗車機に適用される洗浄水リサイクル装置に関する。
【背景技術】
【０００２】
従来、パワーショベルやブルドーザー等の建設機械を洗浄する洗浄装置が知られている（例えば、特許文献１参照）。特許文献１のような建設機械の洗浄装置では、建設機械のクローラの左右に位置すると共に主にクローラを洗浄する洗浄水噴射ユニットと、洗浄水噴射ユニットに高圧の洗浄水を圧送するためのプランジャポンプ等の圧送ポンプを有する高圧洗浄水発生ユニットと、を具備している。
【特許文献１】特開平８−１０３７３６号公報
【発明の開示】
【発明が解決しようとする課題】
【０００３】
上記特許文献１のような従来の洗浄装置では、建設機械を一回洗浄する度に多量の洗浄水を必要としていた。また、洗浄水は、上水道等の水供給源からの水を貯水タンクに溜めたものを使用しており、洗浄作業を行う度に貯水タンクへ水の補給を行っていたので、建設機械の洗浄装置を備える事業所の水道経費が嵩む要因となっていた。また、洗浄水は、建設機械の洗浄後、建設機械に付着していた砂・泥・小石等と混じり合って泥水になるが、この泥水は、洗浄後に再利用されることなくすぐに捨てられており、水資源の無駄が多かった。
【０００４】
そこで、本発明は、洗浄装置の寿命を長く保ちつつ、水資源の浪費を防ぐことができる洗浄水リサイクル装置を提供することを目的とする。
【課題を解決するための手段】
【０００５】
上記の目的を達成するために、本発明に係る洗浄水リサイクル装置は、建設機械の洗浄後の泥水を濾過する入口フィルタと、該入口フィルタを通った泥水に含まれる砂を沈殿分離する濾過一次タンクと、該濾過一次タンクの出口に設けられ上記入口フィルタよりも濾過精度が細かい出口フィルタと、該出口フィルタを通った泥水を濾過すると共に上記出口フィルタよりも濾過精度が細かい細濾過フィルタと、該細濾過フィルタを通った泥水に含まれる泥を沈殿分離して上記建設機械の洗浄水を生成すると共に出口から該洗浄水が貯水タンクに送水される濾過二次タンクと、を備え、さらに、上記細濾過フィルタは、逆流中で内部に溜まった残留物を除去して濾過機能を回復する回復機構を有する。
また、上記濾過一次タンク及び上記濾過二次タンクは、流入攪拌防止用傾斜板を有する。
【０００６】
また、上記細濾過フィルタは、フィルタケースと、該フィルタケースの中に納められるフィルタ本体と、を有し、上記回復機構は、濾過運転の際には該フィルタ本体を圧縮状態として目を細かくすると共に、濾過機能の回復を行う際には該フィルタ本体を該圧縮状態から開放して目を大きくして残留物除去用隙間を形成するように、構成されている。
また、上記出口フィルタと上記細濾過フィルタとの間には、フラッシング手段にて内部に溜まった残留物を除去可能な粗濾過フィルタが介設され、上記入口フィルタ，上記出口フィルタ，上記粗濾過フィルタ，上記細濾過フィルタの順に濾過精度が細かくなるように設定されている。
【発明の効果】
【０００７】
本発明は、次のような著大な効果を奏する。
本発明に係る洗浄水リサイクル装置は、水資源の浪費を防ぐことができ、建設機械の洗浄装置を備える事業所の水道経費を大幅に削減できる。さらに、建設機械の洗浄装置に異常摩耗等が発生するのを抑制でき、洗浄後の泥水を再利用しつつも、洗浄装置の寿命を長く保ち得る。
また、濾過機能が低下することなく長期間使用可能な洗浄水リサイクル装置とし得る。
また、濾過一次タンク及び濾過二次タンクの沈殿分離作用を向上させることができる。
また、コンパクトかつ簡単な構成としつつ、容易に濾過機能を回復することができる。
また、スムーズかつ確実に濾過を行うことができる。
【発明を実施するための最良の形態】
【０００８】
以下、実施の形態を示す図面に基づき、本発明を詳説する。
図１〜図４に於て、本発明の実施の形態に係る洗浄水リサイクル装置について説明する。実施形態に係る洗浄水リサイクル装置は、例えばパワーショベルやブルドーザー等の建設機械30を洗浄する洗浄装置に適用される。図１に示されている建設機械の洗浄装置は、建設機械30の主にクローラ46，46を洗浄する洗浄水噴射ユニット44，44と、洗浄水噴射ユニット44，44に高圧の洗浄水を圧送するための圧送ポンプ53を有する高圧洗浄水発生ユニット52と、建設機械30を載せる基台47, 47と、を備えている。そして、洗浄水噴射ユニット44，44をクローラ46，46に沿って移動させつつ、洗浄を行い得るようになっている。
【０００９】
実施形態に係る洗浄水リサイクル装置は、上述の洗浄装置の基台47, 47の下に設けられる分離槽16と、建設機械30の洗浄後の泥水を濾過する入口フィルタ１と、入口フィルタ１を通った泥水に含まれる砂を沈殿分離する濾過一次タンク２と、濾過一次タンク２の出口に設けられる出口フィルタ９と、出口フィルタ９を通った泥水から砂を除去する細濾過フィルタ５と、細濾過フィルタ５を通った泥水に含まれる泥を沈殿分離して建設機械30の洗浄水を生成すると共に出口から洗浄水が貯水タンク13に送水される濾過二次タンク３と、を備えている。
【００１０】
分離槽16は、建設機械30の洗浄後、建設機械30に付着していた砂・泥・小石等が洗浄水と混じり合ってできた泥水を溜め、泥水に含まれる大粒の小石や砂を分離して除去する。
分離槽16内には、流路ａにて濾過一次タンク２へ泥水を送水するための第１送水ポンプ35が配設されている。第１送水ポンプ35は、例えば、分離槽16に溜められた泥水の基準水面下40cm〜50cm程度の位置に配設されている。この第１送水ポンプ35は、孔空き容器状の出口フィルタ20の中に配設されている。出口フィルタ20は、分離槽16から出て行く泥水の濾過が可能となっている。出口フィルタ20は、粒径が 650μｍ程度の砂を除去可能な濾過精度に設定されている。
【００１１】
濾過一次タンク２は、箱状であり、分離槽16の外側近傍に設置されている。濾過一次タンク２の上面には、吊りフック48が設けられており、移動や設置が容易なものとなっている。
濾過一次タンク２の上部流入口には、流路ａの端部が接続されている。この流入口近傍で濾過一次タンク２の内部側には、入口フィルタ１が配設されている。入口フィルタ１は、金属製の孔空き容器状に形成され、粒径が 450μｍ程度の砂を除去可能な濾過精度に設定されている。そして、入口フィルタ１は、分離槽16から送水されてきた泥水を濾過してから、濾過一次タンク２の下方へ濾過後の泥水を放出するようになっている。
【００１２】
また、濾過一次タンク２は、その内部に、複数の流入攪拌防止用傾斜板12…を有している。流入攪拌防止用傾斜板12…は、側面視約60度の傾斜角度を有している。これにより、入口フィルタ１から下方に放出された泥水が、水面の上から水中へ導かれるようになっている。
また、濾過一次タンク２の内部側の上部流出口近傍には、出口フィルタ９が配設されている。この出口フィルタ９は、金属製の孔空き容器状に形成され、粒径が 230μｍ程度の砂を除去可能な濾過精度に設定されている。出口フィルタ９内には、流路ｂにて細濾過フィルタ５側へと泥水を送水するための第２送水ポンプ37が配設されている。第２送水ポンプ37は、例えば、濾過一次タンク２に溜められた泥水の基準水面下40cm〜50cm程度の位置に配設されている。
【００１３】
また、濾過一次タンク２には、濾過一次タンク２の内部に溜められた泥水の水面に浮いたオイルを収集するためのオイル除去装置31が付設されている。オイル除去装置31にて収集されたオイルは、収集タンク32に溜められるようになっている。
また、濾過一次タンク２には、液面センサ39が取り付けられている。そして、この液面センサ39の検出信号よって、濾過一次タンク２に溜められる泥水の量を検出し、その量に応じて第１送水ポンプ35の駆動制御を行うようにしている。
【００１４】
なお、通常では、分離槽16からの泥水が濾過一次タンク２に送られるように構成するが、より確実に濾過を行いたい場合には、増設濾過タンク19を設置するのが好ましい。この場合、増設濾過タンク19は、濾過一次タンク２の隣に設置され、（二点鎖線にて示す）流路ｃ，ｄにて分離槽16及び濾過一次タンク２と接続される。
この場合、増設濾過タンク19の内部側の上部流入口近傍には、金属製の孔空き容器状の入口フィルタ21が配設され、分離槽16からの泥水を、入口フィルタ21で濾過してから増設濾過タンク19内に泥水を溜めるようにしている。また、増設濾過タンク19の内部の上部流出口近傍には、出口フィルタ22を配設する。さらに、出口フィルタ22内には、増設送水ポンプ36を配設し、この増設送水ポンプ36にて、増設濾過タンク19内で濾過した後の泥水を、流路ｄを通じて濾過一次タンク２に送水するように構成する。増設濾過タンク19には、液面センサ38が取り付けられる。そして、この液面センサ38の検出信号よって、増設濾過タンク19に溜められる泥水の量を検出し、その量に応じて第１送水ポンプ35の駆動制御を行うようにする。
【００１５】
次に、（増設濾過タンク19の話から濾過一次タンク２の話に戻して、）濾過一次タンク２の流出口には、第２送水ポンプ37にて細濾過フィルタ５へ泥水を送水する流路ｂの一端部が接続されている。この流路ｂの途中には、フラッシング手段11にて内部に溜まった残留物を除去可能な粗濾過フィルタ10が介設されている（つまり、出口フィルタ９と細濾過フィルタ５との間には、粗濾過フィルタ10が介設されている）。
フラッシング手段11は、粗濾過フィルタ10の下端に接続されると共に排水口49と連通するフラッシング用流路ｅと、フラッシング用流路ｅの途中に介設されると共に粗濾過フィルタ10の内部の残留物を除去する際に開けられるフラッシング用バルブ24と、を有している。 
また、流路ｂの途中であって、粗濾過フィルタ10と細濾過フィルタ５との間には、回復用第１切換バルブ25が介設されている。
【００１６】
次に、細濾過フィルタ５について詳しく述べる。細濾過フィルタ５は、図３及び図４に示すように、フィルタケース14と、フィルタケース14の中に納められるフィルタ本体15と、を有している。
フィルタ本体15は、交互に重ね合わせ状となった複数の板バネ部材７…及び濾過部材８…を有している。板バネ部材７は、例えば金属製であって波板リング状に形成されている（図示省略）。また、濾過部材８は、例えば金属製であって、中心角度等ピッチで形成された浅溝部を有する板リング状である（図示省略）。
【００１７】
ここで、実施形態の細濾過フィルタ５は、逆流中で内部に溜まった残留物を除去して濾過機能を回復する回復機構４を有している。回復機構４は、濾過運転の際にはフィルタ本体15を圧縮状態として目を細かくすると共に、濾過機能の回復を行う際にはフィルタ本体15を圧縮状態から開放して目を大きくして残留物除去用隙間Ｓを形成するように、構成されている。
より具体的には、回復機構４は、図２〜図４に示すように、濾過運転の場合と濾過機能の回復を行う場合とに切り換え自在な切換用シリンダ６と、流路ｂの細濾過フィルタ５と粗濾過フィルタ10との間かつ回復用第１切換バルブ25の下流側に介設される逆止弁45と、細濾過フィルタ５の出口側と濾過二次タンク３とを結ぶ流路ｈの途中に介設されるリザーブタンク18と、流路ｈの途中であってリザーブタンク18より下流側に設けられる回復用第２切換バルブ26と、流路ｉにてリザーブタンク18と接続されると共に流路ｉの途中のコンプレッサ連通バルブ28を介してエアーを供給可能なコンプレッサ17と、を有している。なお、23は、レギュレータである。
コンプレッサ17は、リザーブタンク18にエアーを供給するだけでなく、切換用シリンダ６にも、シリンダ切換バルブ29を介してエアーを供給している。
【００１８】
切換用シリンダ６は、フィルタケース14の上側に取り付けられており、シリンダ切換バルブ29の切換えにより、ピストンロッド６ａがフィルタケース14の内部において上下動自在となっている。このピストンロッド６ａは、フィルタ本体15を挿通するようになっている。即ち、ピストンロッド６ａは、複数の波板リング状の板バネ部材７…の孔、及び、複数の板リング状の濾過部材８…の孔に挿通状となっている。
また、ピストンロッド６ａの先端には、支持部材50が取り付けられている。支持部材50は、フィルタケース14の内面との間にフィルタ本体15を挟持するようになっている。
【００１９】
また、ピストンロッド６ａは、濾過運転時に上昇するようになっている。これにより、濾過運転時、支持部材50とフィルタケース14の内面との間でフィルタ本体15が圧縮状態にされるようになっている。圧縮状態では、フィルタ本体15の複数の板バネ部材７…がピストンロッド６ａの軸方向に圧縮され、略平板リング状に弾性変形する。また、この状態では、泥水は、濾過部材８の浅溝部を通って濾過されるようになっている。実施形態では、粒径が５μｍ程度の砂を除去可能な濾過精度に設定されている。このようにして、回復機構４が構成されている。
細濾過フィルタ５の下端には、フラッシング用流路ｅと合流して排水口49へつながる残留物排出流路ｇが、接続されている。この残留物排出流路ｇの途中には、残留物排出用バルブ27が介設されている。
【００２０】
上述した粗濾過フィルタ10，フラッシング手段11，回復用第１切換バルブ25，逆止弁45，細濾過フィルタ５，残留物排出用バルブ27，コンプレッサ17，レギュレータ23，シリンダ切換バルブ29，コンプレッサ連通バルブ28，リザーブタンク18，回復用第２切換バルブ26は、全て、濾過一次タンク２の前面に付設された外形箱状のフィルタユニットＵ内に納められている。
【００２１】
次に、細濾過フィルタ５の出口側と流路ｈにて結ばれた濾過二次タンク３は、濾過一次タンク２と同様に、箱状であり、分離槽16の外側近傍に設置されている。濾過二次タンク３の外部上面には、吊りフック48が設けられており、移動や設置が容易なものとなっている。
濾過二次タンク３には、細濾過フィルタ５で濾過され、リザーブタンク18，回復用第２切換バルブ26を通った泥水が上部流入口から流入する。この濾過二次タンク３は、濾過一次タンク２と同様、その内部に流入攪拌防止用傾斜板12…を有している。流入攪拌防止用傾斜板12…は、側面視約60度の傾斜角度を有している。これにより、泥水が、水面の上から水中へ導かれるようになっている。
【００２２】
また、濾過二次タンク３内には、フィルタユニットＵ内に納められる薬剤タンク33から薬剤供給ポンプ34の駆動により、オゾン脱臭剤や次亜塩素酸系の薬剤が薬剤供給流路ｆを通じて投入可能とされている。これにより、濾過二次タンク３内の殺菌を行うことが可能とされている。
また、濾過二次タンク３には、上水道等の水供給源51から水を供給可能な流路ｊが接続されている。
また、濾過二次タンク３には、上液面センサ40と下液面センサ41が取り付けられている。この上液面センサ40と下液面センサ41は、濾過二次タンク３の液面が所定の範囲内に納まっているかを検出するものである。例えば、濾過二次タンク３の液面が所定の範囲より下回っていることが検出されると、水供給源51から水を供給するようにしている。
【００２３】
濾過二次タンク３の上部流出口には、貯水タンク13へ洗浄水を供給するための洗浄水供給流路ｋが接続されており、洗浄水供給流路ｋの途中に介設された洗浄水供給ポンプ42を駆動させて、濾過二次タンク３から貯水タンク13へ洗浄水を供給するようになっている。
貯水タンク13は、分離槽16の外側近傍かつ濾過二次タンク３の隣に設置されている。この貯水タンク13は、高圧洗浄水発生ユニット52と流路ｒにて接続されている。そして、この貯水タンク13は、高圧洗浄水発生ユニット52に、（洗浄作業中に不足しないような）充分な量の洗浄水を供給する。
【００２４】
以上のように実施形態に係る洗浄水リサイクル装置が構成されるが、濾過一次タンク２内部に配設された入口フィルタ１及び出口フィルタ９と、フィルタユニットＵの粗濾過フィルタ10及び細濾過フィルタ５との濾過精度について順に並べてまとめると、次のようになる。即ち、入口フィルタ１（濾過精度 450μｍ），出口フィルタ９（濾過精度 230μｍ），粗濾過フィルタ10（濾過精度 100μｍ），細濾過フィルタ５（濾過精度５μｍ）の順となっている。このように、下流に行くにしたがって濾過精度が細かくなるように設定されている。
【００２５】
次に、図２〜図４を参照して、上述のフィルタユニットＵ内に納められた機器について、粗濾過フィルタ10及び細濾過フィルタ５の濾過機能を回復させるときの作動について説明する。
まず、濾過運転を行っている状態（図３の状態）から、第２送水ポンプ37の駆動を停止する。そして、開状態の回復用第１切換バルブ25及び回復用第２切換バルブ26を閉じると共に、閉状態のフラッシング用バルブ24を開ける。すると、第２送水ポンプ37にて送水されていた泥水の残圧にて、粗濾過フィルタ10がフラッシングされる。そして、粗濾過フィルタ10の内部に溜まっていた残留物が、フラッシング用流路ｅを通って排出口49から排出される。このフラッシングが行われる時間は、（泥水の残圧にて行われるので短く、）２秒程度となる。
【００２６】
次に、シリンダ切換バルブ29の切換えにて切換用シリンダ６のピストンロッド６ａを下降させて、細濾過フィルタ５のフィルタ本体15を圧縮状態から開放する。すると、濾過運転時に略平板リング状に弾性変形していたフィルタ本体15の板バネ部材７の形状は、波板リング状に復元する。そして、フィルタ本体15の目は大きくなって、残留物除去用隙間Ｓ…が形成される。また、切換用シリンダ６のピストンロッド６ａを下降させると同時に、コンプレッサ連通バルブ28と残留物排出用バルブ27とを開く。
すると、図４に示すように、コンプレッサ17からのエアーが、リザーブタンク18に溜まった泥水と共に細濾過フィルタ５に流路ｈ側から入り、フィルタ本体15の内側からフィルタ本体15の外側に出る。すると、濾過運転時に目詰まりを生じさせていた残留物が残留物排出流路ｇを通って排出口49から出て行く。この濾過機能回復作業は、約10秒間行う。
【００２７】
上記10秒間の濾過機能回復作業を終了すると、コンプレッサ連通バルブ28及び残留物排出用バルブ27を閉じ、シリンダ切換バルブ29にて切換用シリンダ６のピストンロッド６ａを上昇させてフィルタ本体15を圧縮状態とする。さらに、フラッシング用バルブ24を閉じ、閉状態の回復用第１切換バルブ25及び回復用第２切換バルブ26を開ける。そして、第２送水ポンプ37の駆動を再開する。すると、図３に示す濾過運転の流れとなる。
上述したフィルタユニットＵ内に納められた機器の作動は、図示省略の制御手段による制御により全自動で行われ、一定時間毎（例えば60秒間隔）に、粗濾過フィルタ10と細濾過フィルタ５のクリーニングが行われる。
【００２８】
なお、本発明は、上述の実施の形態に限定されず、本発明の要旨を逸脱しない範囲で設計変更可能である。例えば、実施形態では、回復機構４を有する細濾過フィルタ５の数を２個以上にしても良いし、粗濾過フィルタ10を設けなくてもよい。
また、細濾過フィルタ５，コンプレッサ17，粗濾過フィルタ10は、一つのフィルタユニットＵに納められているものに限るのではなく、別々のユニットに納められていてもよい。
また、配管内に残った泥水，洗浄水を排出する残水排出装置を付設してもよい。このように構成すれば、本発明に係る洗浄水リサイクル装置を寒冷地で使用する場合に、泥水，洗浄水が配管内で凍りついて洗浄水リサイクル装置が使用不可になる問題を防止できる。
【００２９】
以上のように、本発明に係る洗浄水リサイクル装置は、建設機械30の洗浄後の泥水を濾過する入口フィルタ１と、入口フィルタ１を通った泥水に含まれる砂を沈殿分離する濾過一次タンク２と、濾過一次タンク２の出口に設けられる出口フィルタ９と、出口フィルタ９を通った泥水から砂を除去する細濾過フィルタ５と、細濾過フィルタ５を通った泥水に含まれる泥を沈殿分離して建設機械30の洗浄水を生成すると共に出口から洗浄水が貯水タンク13に送水される濾過二次タンク３と、を備え、さらに、細濾過フィルタ５は、逆流中で内部に溜まった残留物を除去して濾過機能を回復する回復機構４を有するので、建設機械30の洗浄後の泥水を、砂・泥等の混入物を除去した洗浄水にして、再利用できる。これにより、水資源の浪費を防ぐことができ、建設機械30の洗浄装置を備える事業所の水道経費を大幅に削減できる。さらに、入口フィルタ１，濾過一次タンク２，出口フィルタ９，細濾過フィルタ５，濾過二次タンク３により、建設機械30の洗浄装置の高圧洗浄水発生ユニット52等に砂・泥等が混入するのを防いで、建設機械30の洗浄装置に異常摩耗等が発生するのを抑制できる。具体的には、高圧洗浄水発生ユニット52の圧送ポンプ53の構成部品が異常摩耗する等の問題をなくすことができる。従って、洗浄後の泥水を再利用しつつも、洗浄装置の寿命を長く保ち得る。
【００３０】
また、複数のフィルタのうち、濾過精度の細かい細濾過フィルタ５は目詰まりが生じやすいので、濾過運転を続けていくと濾過機能が低下していく。しかしながら、本発明では、細濾過フィルタ５は、逆流中で内部に溜まった残留物を除去して濾過機能を回復する回復機構４を有しているので、細濾過フィルタ５を、定期的にクリーニングして目詰まりをなくすことができる。これにより、濾過機能が低下することなく長期間使用可能な洗浄水リサイクル装置とし得る。
【００３１】
また、濾過一次タンク２及び濾過二次タンク３は、流入攪拌防止用傾斜板12…を有するので、送水されてきた泥水を、流入攪拌防止用傾斜板12…を介して濾過一次タンク２及び濾過二次タンク３内の水面の上から中へ導くことができる。これにより、送水されてきた泥水を濾過一次タンク２及び濾過二次タンク３内の水面に直接的に落下させる場合と比較して、濾過一次タンク２及び濾過二次タンク３内に溜められた泥水が攪拌されるのを防ぐことができるので、濾過一次タンク２及び濾過二次タンク３の沈殿分離作用を向上させることができる。
【００３２】
また、細濾過フィルタ５は、フィルタケース14と、フィルタケース14の中に納められるフィルタ本体15と、を有し、回復機構４は、濾過運転の際にはフィルタ本体15を圧縮状態として目を細かくすると共に、濾過機能の回復を行う際にはフィルタ本体15を圧縮状態から開放して目を大きくして残留物除去用隙間Ｓを形成するように、構成されているので、コンパクトかつ簡単な構成としつつ、容易に濾過機能を回復することができる。また、日常点検も簡単である。
【００３３】
また、入口フィルタ１，出口フィルタ９，細濾過フィルタ５の順に濾過精度が細かくなるように設定されているので、「既に泥水に含まれる砂・泥の粒径は小さくなっているのにその泥水を濾過精度が粗いフィルタに通す」というようなフィルタの無駄がなく、スムーズかつ確実に濾過を行うことができる。
【００３４】
また、出口フィルタ９と細濾過フィルタ５との間には、フラッシング手段11にて内部に溜まった残留物を除去可能な粗濾過フィルタ10が介設され、入口フィルタ１，出口フィルタ９，粗濾過フィルタ10，細濾過フィルタ５の順に濾過精度が細かくなるように設定されているので、「既に泥水に含まれる砂・泥の粒径は小さくなっているのにその泥水を濾過精度が粗いフィルタに通す」というようなフィルタの無駄がなく、スムーズかつ確実に濾過を行うことができる。
また、フラッシング手段11にて粗濾過フィルタ10を定期的にクリーニングして、粗濾過フィルタ10の目詰まりをなくすことができる。そして、粗濾過フィルタ10よりも濾過精度が細かくて目詰まりの起こしやすい細濾過フィルタ５へ、細濾過フィルタ５にて濾過しやすい粒径の砂・泥が含まれる泥水を、常時送ることができる。これにより、よりスムーズかつ確実に濾過を行うことができる。
【図面の簡単な説明】
【００３５】
【図１】本発明の実施形態に係る洗浄水リサイクル装置を建設機械の洗浄装置に適用した斜視図である。
【図２】実施形態の洗浄水リサイクル装置を示す概略図である。
【図３】濾過運転時の細濾過フィルタ及びその周辺を示す簡略断面図である。
【図４】濾過機能の回復を行う際の細濾過フィルタ及びその周辺を示す簡略断面図である。
【符号の説明】
【００３６】
１  入口フィルタ
２ 濾過一次タンク
３ 濾過二次タンク
４ 回復機構
５  細濾過フィルタ
９  出口フィルタ
10  粗濾過フィルタ
11  フラッシング手段
12  流入攪拌防止用傾斜板
13  貯水タンク
14  フィルタケース
15  フィルタ本体
30  建設機械
Ｓ  残留物除去用隙間
【図１】
0004875922.tif 000002
【図２】
0004875922.tif 000003
【図３】
0004875922.tif 000004
【図４】
0004875922.tif 000005